(57)【要約】【課題】本発明は構造が簡単で、製造容易且つ伸縮自在な入力ペンを提供することを目的とする。【解決手段】本発明に係る入力ペンは、第一筆立てと、前記第一筆立て内に設置される第二筆立てと、前記第二筆立て内に設置され且つ一端にペン先を有する筆芯と、前記第一筆立て内に固定され且つ貫通溝を有する第一スライドロッドと、前記第二筆立て内に固定され且つガイド溝を有する第二スライドロッドと、前記貫通溝内でスライドできるように前記第二筆立てに設置される第一スライドピンと、前記ガイド溝内でスライドできるように前記筆芯に設置される第二スライドピンと、を備える。【選択図】図５
2011108217.tif 000002
【特許請求の範囲】
【請求項１】
第一筆立てと、
前記第一筆立て内に設置される第二筆立てと、
前記第二筆立て内に設置され且つ一端にペン先を有する筆芯と、
前記第一筆立て内に固定され且つ貫通溝を有する第一スライドロッドと、
前記第二筆立て内に固定され且つガイド溝を有する第二スライドロッドと、
前記貫通溝内でスライドできるように前記第二筆立てに設置される第一スライドピンと、
前記ガイド溝内でスライドできるように前記筆芯に設置される第二スライドピンと、
を備える入力ペン。
【請求項２】
前記第二筆立て及び前記筆芯には、それぞれ該第二筆立て及び該筆芯を貫通する第一貫通孔及び第二貫通孔が開設され、前記第一スライドピン及び前記第二スライドピンは、それぞれ前記第一貫通孔内及び前記第二貫通孔内に設置されることを特徴とする請求項１に記載の入力ペン。
【請求項３】
前記貫通溝の両端には、それぞれ横断面が前記第一スライドピンの横断面に該当するロック穴が開設され、前記ロック穴は幅が前記第一スライドピンの直径より小さい狭いチャネルを介して前記貫通溝に連通し、前記ロック穴は前記第一スライドピンを保持することにより、前記第二筆立を前記第一スライドロッドに相対ロックさせることを特徴とする請求項２に記載の入力ペン。
【請求項４】
前記第一スライドロッドは、固定部と前記固定部に連接するガイド部とを含み、前記貫通溝と前記ロック穴とが前記ガイド部に開設されることを特徴とする請求項３に記載の入力ペン。
【請求項５】
前記ガイド部の固定部と該固定部に隣接するロック穴との間にはスリットが開設され、もう１つのロック穴と前記ガイド部の端縁との間には開口が開設されることを特徴とする請求項４に記載の入力ペン。
【請求項６】
前記第一筆立てには２つの固定穴が対称的に開設され、前記第一スライドロッドの固定部には貫通孔が開設され、１つの位置決めピンが順次に前記固定穴と前記貫通孔を貫くことにより、前記第一スライドロッドと前記第一筆立てとを連接して固定することを特徴とする請求項５に記載の入力ペン。
【請求項７】
前記第二スライドロッドには２つの取付用孔が対称的に開設され、前記第一スライドピンが前記取付用孔を貫いて、前記第二スライドロッドが前記第二筆立て内に固定されることを特徴とする請求項６に記載の入力ペン。
【発明の詳細な説明】
【技術分野】
【０００１】
本発明は、入力ペン、特に携帯電子装置に用いられる入力ペンに関するものである。
【背景技術】
【０００２】
タッチパネル技術の発展に伴い、携帯電話、個人用携帯情報端末（ＰＤＡ）及びパソコン等のような携帯式電子装置は殆んどタッチスクリーンを備えている。これらの携帯式電子装置は、一般的に入力ペンを入力手段とする。
【０００３】
従来の電子ペンは通常携帯電子装置の内部に内蔵されており、使用する場合、電子ペンを携帯電子装置の蓋体から抜き出す。しかし、携帯電子装置の蓋体の長さが短いため、それに挿入される電子ペンも短く設計しなければならない。従って、電子ペンの長さが制限されるため、利用者は不便であった。以上の問題を解決するために、長く伸ばすことができる電子ペンが設計されたが、これらの入力ペンは構造が複雑で、製造し難い。
【発明の概要】
【発明が解決しようとする課題】
【０００４】
本発明は構造が簡単で、製造が容易且つ伸縮自在な入力ペンを提供することを目的とする。
【課題を解決するための手段】
【０００５】
前記課題を解決するために、本発明に係る入力ペンは、第一筆立てと、前記第一筆立て内に設置される第二筆立てと、前記第二筆立て内に設置され且つ一端にペン先を有する筆芯と、前記第一筆立て内に固定され且つ貫通溝を有する第一スライドロッドと、前記第二筆立て内に固定され且つガイド溝を有する第二スライドロッドと、前記貫通溝内でスライドできるように前記第二筆立てに設置される第一スライドピンと、前記ガイド溝内でスライドできるように前記筆芯に設置される第二スライドピンと、を備える。
【発明の効果】
【０００６】
本発明の入力ペンの各部品の構造が簡単であるため、容易に製造できる。しかも、本発明の筆芯が第二筆立て内に収納された第二スライドロッドにスライド可能に設置されるため、ペン先は前記第二筆立てに相対して一定の距離を伸長できる。且つ、前記第二筆立ては前記第一筆立て内に収納された第一スライドロッドにスライド可能に設置されるため、前記第二筆立ては前記第一筆立てに相対して一定の距離を伸長できる。このように、本発明の入力ペンは伸縮自在である。
【図面の簡単な説明】
【０００７】
【図１】本発明の実施例に係る入力ペンの立体分解図である。
【図２】図１に示す入力ペンの組立図である。
【図３】図２に示す入力ペンのＩＩＩ−ＩＩＩ線に沿う断面図である。
【図４】図２に示す入力ペンが少し伸長された状態を示す図である。
【図５】図２に示す入力ペンが完全に伸長された状態を示す図である。
【発明を実施するための形態】
【０００８】
本発明の入力ペンは携帯電話、個人用携帯情報端末（ＰＤＡ）及びパソコン等のような携帯電子装置に適用する。以下、本発明の実施例における入力ペンついて詳しく説明する。
【０００９】
図１に示したように、本発明の入力ペン１００は、第一筆立て１０と、第二筆立て３０と、位置決めピン７０と、第一スライドピン８０と、第二スライドピン９０と、前記位置決めピン７０を介して前記第一筆立て１０内に固定される第一スライドロッド２０と、前記第一スライドピン８０を介して前記第二筆立て３０内に固定される第二スライドロッド４０と、前記第二スライドピン９０を介して前記第二スライドロッド４０にスライド可能に設置される筆芯５０と、前記筆芯５０の一端に設置されるペン先５４と、前記ペン先５４の端部を被せるキャップ６０と、を備える。前記第一スライドピン８０が前記第一スライドロッド２０にスライド可能に設置されるため、前記第二筆立て３０と前記第二スライドロッド４０とが前記第一スライドロッド２０に相対してスライドできる。前記第一スライドロッド２０と前記第二スライドロッド４０とは、摩擦に耐える弾性材料、例えばポリフォルムアルデヒド（ＰＯＭ）から製作される。
【００１０】
前記第一筆立て１０は略管状であって、軸方向に沿ってそれを貫通する収容空洞部１２が開設されている。前記収容空洞部１２は四つの側壁１４を含み、且つ相対する２つの側壁１４にはそれぞれ１つの固定穴１４２が同軸に開設されている。前記２つの固定穴１４２は、前記第一筆立て１０の一端に隣接して対称設置される。前記位置決めピン７０は、前記２つの固定穴１４２によって前記第一筆立て１０を貫く。
【００１１】
図５を一緒に参照すると、前記第一スライドロッド２０は固定部２２と、前記固定部２２に連接するガイド部２４と、を備える。前記固定部２２は、不規則なブロック状であって、前記第一スライドロッド２０を前記第一筆立て１０内に固定することに用いられる。前記固定部２２には、前記位置決めピン７０を貫かせる１つの貫通孔２２２が開設されている。前記ガイド部２４は、ほぼ柱状を呈する。前記ガイド部２４の中部には、該ガイド部２４の軸方向に沿って該ガイド部２４を貫通する条状の貫通溝２４２が開設されている。
【００１２】
前記貫通溝２４２の両端には、それぞれ横断面が前記第一スライドピン８０の横断面に相当するロック穴２４４が開設される。各々のロック穴２４４は、幅が前記第一スライドピン８０の直径より小さい狭いチャネル２４６によって前記貫通溝２４２に連通する。前記第一スライドピン８０は、前記貫通溝２４２内でスライドでき、前記ロック穴２４４内に滑り込むと、しっかりと保持される。
【００１３】
前記固定部２２に近接するロック穴２４４と前記固定部２２との間にはスリット２４８が開設され、前記固定部２２から離れているロック穴２４４と前記ガイド部２４の端縁との間には開口２４９が形成される。前記スリット２４８と前記開口２４９とが存在するため、前記第一スライドピン８０が前記ロック穴２４４内に滑り込む時、前記ロック穴２４４を形成する２つの側壁が広がり易い。前記第一スライドピン８０が前記ロック穴２４４内に滑り込んだら、前記ロック穴２４４の側壁が弾性力により元様に回復して、前記スライドピン８０をしっかりと保持する。
【００１４】
前記第二筆立て３０は略管状であって、軸方向に沿ってそれを貫通する収容空洞部３２が開設されている。前記収容空洞部３２は四つの側壁３４を含み、且つ相対する２つの側壁３４にはそれぞれ１つの第一貫通孔３４２が同軸に開設されている。前記２つの第一貫通孔３４２は、前記第二筆立て３０の一端に隣接して対称設置される。前記第一スライドピン８０は、前記２つの第一貫通孔３４２によって前記第二筆立て３０を貫く。
【００１５】
前記第二スライドロッド４０は、ガイド部４２と、前記ガイド部４２に連接する固定配合部４４と、を備える。前記ガイド部４２は矩形の柱状体であって、その軸方向に沿って相対する２つの側壁４２２を貫通する条状のガイド溝４２４が開設されている。前記ガイド溝４２４の両端には、それぞれ横断面が前記第二スライドピン９０の横断面に相当するロック穴４２６が開設されている。前記第二スライドピン９０は、前記ガイド溝４２４内でスライドでき、前記ロック穴４２６内に滑り込むと、しっかりと保持される。
【００１６】
前記固定配合部４４は、軸方向に沿ってそれを貫通し、前記第一スライドロッド２０を収納する収容空洞部４６を有する。前記固定配合部４４の相対する２つの側壁には、それぞれ１つの取付用孔４４４が同軸に開設されている。前記２つの取付用孔４４４は、対称設置される。前記第一スライドピン８０は、前記２つの取付用孔４４４によって前記固定配合部４４を貫く。
【００１７】
前記筆芯５０は、中空の矩形の柱状体であって、四つの側壁５２に囲まれて形成され、その軸方向に沿って前記第二スライドロッド４０のガイド部４２を収納する収容空洞部５２４が開設される。前記筆芯５０の相対する２つの側壁５２には、それぞれ１つの第二貫通孔５２２が開設されている。前記第二スライドピン９０は、前記２つの第二貫通孔５２２によって前記筆芯５０を貫く。前記ペン先５４は、ほぼ円錐形を呈し、前記筆芯５０の前記第二貫通孔５２２から離れている一端に連接して設置されており、携帯電子装置（図示せず）のタッチスクリーンをタッチすることに用いられる。前記ペン先５４と前記筆芯５０との連接部位には、前記キャップ６０を係合するための環状の係止溝５６が設置されている。
【００１８】
図３に示したように、前記キャップ６０の一端には、収容空洞部６２が開設されている。前記収容空洞部６２の内周壁６２２には、前記筆芯５０の係止溝５６に係合する環状の突起部６２４が突設されている。
【００１９】
以下、図１ないし図３を参照しながら、本発明の入力ペン１００の組立ステップを説明する。
【００２０】
まず、前記筆芯５０の２つの第二貫通孔５２２と前記第二スライドロッド４０のガイド溝４２４との位置を合せ、前記第二スライドピン９０を順次前記第二貫通孔５２２と前記ガイド溝４２４内に挿入して、前記第二スライドピン９０の前記ガイド溝４２４から突出する両端をそれぞれ前記２つの第二貫通孔５２２に固定する。
【００２１】
次に、前記第二スライドロッド４０及び前記筆芯５０を前記第二筆立て３０の収容空洞部３２内に装着して、且つ前記第二筆立て３０の２つの第一貫通孔３４２と前記第二スライドロッド４０の２つの取付用孔４４４との位置を合せる。続いて前記第一スライドロッド２０のガイド部２４を前記第二スライドロッド４０の収容空洞部４６内に装着して、且つ前記第一スライドロッド２０の貫通溝２４２と前記第二スライドロッド４０の２つの取付用孔４４４との位置を合せる。それから、前記第一スライドピン８０を順次に前記第一貫通孔３４２、前記取付用孔４４４及び前記貫通溝２４２内に挿入して、前記第一スライドピン８０の前記貫通溝２４２及び前記２つの取付用孔４４４から突出する両端をそれぞれ前記２つの第一貫通孔３４２に緊密に係合する。
【００２２】
次に、前記第二筆立て３０を前記第一筆立て１０の収容空洞部１２内に収納し、且つ前記第一筆立て１０の２つの固定穴１４２と前記第一スライドロッド２０の貫通孔２２２との位置を合せる。続いて前記位置決めピン７０の一端を順次に前記１つの固定穴１４２、前記貫通孔２２２及びもう１つの固定穴１４２に貫通させて、前記位置決めピン７０の前記貫通孔２２２から突出する両端をそれぞれ前記２つの固定穴１４２に緊密に係合させる。
【００２３】
最後に、前記キャップ６０を前記筆芯５０のペン先５４上に被せて、且つ前記環状の突起部６２４を前記環状の係止溝５６に嵌合する。これで、前記入力ペン１００の組立が完了する。
【００２４】
図３〜図５に示したように、前記入力ペン１００を使用する場合、まず、前記キャップ６０を引っ張ると、前記筆芯５０が連動して前記第二筆立て３０から離れる方向へ移動する。従って、前記第二スライドピン９０が前記第二スライドロッド４０のガイド溝４２４に沿ってスライドして、さらに前記１つのロック穴４２６内にロックされる。このように、前記筆芯５０が前記第二筆立て３０から引き出された。次に、続いて前記キャップ６０を引っ張ると、前記第一スライドピン８０が前記第一スライドロッド２０の１つのロック穴２４４にロックされるまで、前記第一スライドロッド２０の貫通溝２４２に沿ってスライドする。同時に、前記第二筆立て３０は前記第一筆立て１０から滑り出す。最後に、もっと大きい力で前記キャップ６０を引っ張って、前記突起部６２４を前記筆芯５０の係止溝５６から離脱させれば、前記入力ペン１００が長く伸ばせて使用できる。
【００２５】
また、製造を容易にするために、本実施例において、前記第一筆立て１０と前記第一スライドロッド２０とは分離できるように設計されたが、両者の具体的な構造を変えずに両者を一体成型してもよい。同様に、前記第二筆立て３０と前記第二スライドロッド４０とを一体成型してもよい。
【００２６】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００２７】
１０  第一筆立て
１２  収容空洞部
１４  側壁
２０  第一スライドロッド
２２  固定部
２４  ガイド部
３０  第二筆立て
３２  収容空洞部
３４  側壁
４０  第二スライドロッド
４２  ガイド部
４４  固定配合部
４６  収容空洞部
５０  筆芯
５２  側壁
５４  ペン先
５６  係止溝
６０  キャップ
６２  収容空洞部
７０  位置決めピン
８０  第一スライドピン
９０  第二スライドピン
１００  入力ペン
１４２  固定穴
２２２  貫通孔
２４２  貫通溝
２４４  ロック穴
２４６  狭いチャネル
２４８  スリット
２４９  開口
３４２  第一貫通孔
４２２  側壁
４２４  ガイド溝
４２６  ロック穴
４４４  取付用孔
５２２  第二貫通孔
５２４  収容空洞部
６２２  周壁
６２４  突起部
【図１】
2011108217.tif 000003
【図２】
2011108217.tif 000004
【図３】
2011108217.tif 000005
【図４】
2011108217.tif 000006
【図５】
2011108217.tif 000007